(57)【要約】【課題】不要な無線インタフェースの起動及び不要な通信接続の切り替えを抑制しつつ、通信網との接続を適宜切り替えることができる携帯端末を提供する。【解決手段】本携帯端末は、第１及び第２の無線ネットワークにそれぞれ接続する第１及び第２の無線インタフェースを備えている。さらに、通信用の電源である電池と、電池が充電中であるか否かを判定する充電状態判定手段と、第１の無線ネットワークに接続している間、第２の無線インタフェースを停止させ、充電状態判定手段が真の判定を行った際、第２の無線インタフェースを起動させるインタフェース制御手段と、起動した第２の無線インタフェースを用いて、携帯端末が第２の無線ネットワークのエリア内に居るか否かを判定する圏内判定手段と、圏内判定手段が真の判定を行った際、第２の無線ネットワークとの接続を開始する接続制御手段とを有する。【選択図】図２
2014017572.tif 000002
【特許請求の範囲】
【請求項１】
第１の無線ネットワークに接続する第１の無線インタフェースと、該第１の無線ネットワークのエリアに包含される又は隣接するエリアを有する第２の無線ネットワークに接続する第２の無線インタフェースとを備えた携帯端末であって、
通信用の電源である電池と、
前記電池が充電中であるか否かを判定する充電状態判定手段と、
前記第１の無線ネットワークに接続している間、前記第２の無線インタフェースを停止させ、前記充電状態判定手段が真の判定を行った際、該第２の無線インタフェースを起動させるインタフェース制御手段と、
起動した前記第２の無線インタフェースを用いて、前記携帯端末が前記第２の無線ネットワークのエリア内に居るか否かを判定する圏内判定手段と、
前記圏内判定手段が真の判定を行った際、前記第２の無線ネットワークとの接続を開始する接続制御手段と
を有することを特徴とする携帯端末。
【請求項２】
加速度を検出する加速度センサと、
前記加速度センサから出力される加速度情報を用いて、前記携帯端末が所定時間継続して非移動状態にあるか否かを判定する非移動判定手段と
を更に有しており、
前記インタフェース制御手段は、前記充電状態判定手段が真の判定を行い且つ前記非移動判定手段が真の判定を行った際、前記第２の無線インタフェースを起動させる
ことを特徴とする請求項１に記載の携帯端末。
【請求項３】
前記携帯端末の所在位置を測位する測位部と、
前記測位部から出力される所在位置情報を用いて、前記携帯端末が所定時間継続して所定位置範囲内に留まっているか否かを判定する所在位置判定手段と
を更に有しており、
前記インタフェース制御手段は、前記充電状態判定手段が真の判定を行い且つ前記所在位置判定手段が真の判定を行った際、前記第２の無線インタフェースを起動させる
ことを特徴とする請求項１又は２に記載の携帯端末。
【請求項４】
接続中の第１の無線ネットワークにおける基地局の基地局位置情報又は基地局識別子を逐次取得し、当該基地局位置情報又は基地局識別子が所定時間継続して変化しないか否かを判定する基地局判定手段を更に有しており、
前記インタフェース制御手段は、前記充電状態判定手段が真の判定を行い且つ前記基地局判定手段が真の判定を行った際、前記第２の無線インタフェースを起動させる
ことを特徴とする請求項１又は２に記載の携帯端末。
【請求項５】
前記電池の充電についての充電時刻情報を逐次記録する充電情報記録手段と、
当該充電時刻情報に基づいて、所定以上の頻度で、ある時間帯に、前記電池への充電が開始されるとの充電習慣情報を生成する充電習慣情報生成手段と
を更に有しており、
前記インタフェース制御手段は、当該充電習慣情報が生成された場合、前記充電状態判定手段の判定にかかわらず、当該時間帯に又は当該時間帯に先立って、前記第２の無線インタフェースを起動させ、
前記接続制御手段は、前記圏内判定手段が真の判定を行った際、当該時間帯に、前記第２の無線ネットワークとの接続を開始する
ことを特徴とする請求項１から４のいずれか１項に記載の携帯端末。
【請求項６】
前記充電情報記録手段は、前記充電状態判定手段による真の判定に基づいて前記第２の無線ネットワークとの間で開始された接続についての接続時刻情報を、当該充電時刻情報と対応付けて更に記録し、
前記充電習慣情報生成手段は、当該接続時刻情報に基づいて、所定以上の頻度で、ある時間帯に、前記第２の無線ネットワークとの接続が開始されるとの充電習慣情報を生成し、
前記インタフェース制御手段は、当該充電習慣情報が生成された場合、前記充電状態判定手段の判定にかかわらず、当該時間帯に又は当該時間帯に先立って、前記第２の無線インタフェースを起動させ、
前記接続制御手段は、前記圏内判定手段が真の判定を行った際、当該時間帯に、前記第２の無線ネットワークとの接続を開始する
ことを特徴とする請求項５に記載の携帯端末。
【請求項７】
前記携帯端末の所在位置を測位する測位部を更に備えており、
充電情報記録手段は、前記電池の充電時の所在位置である充電位置情報を、当該充電時刻情報と対応付けて更に記録し、
前記充電習慣情報生成手段は、当該充電時刻情報及び当該充電位置情報に基づいて、所定以上の頻度で、ある時間帯に、ある位置範囲内で前記電池への充電が開始されるとの充電習慣情報を生成し、
前記インタフェース制御手段は、当該充電習慣情報が生成された場合、前記充電状態判定手段の判定にかかわらず、当該時間帯に又は当該時間帯に先立って、前記測位部の出力する所在位置が当該位置範囲内である際に、第２の無線インタフェースを起動させ、
前記接続制御手段は、前記圏内判定手段が真の判定を行った際、当該時間帯に、前記第２の無線ネットワークとの接続を開始する
ことを特徴とする請求項５に記載の携帯端末。
【請求項８】
充電情報記録手段は、前記電池の充電時に接続された前記第１の無線ネットワークの基地局における基地局位置情報又は基地局識別子を、当該充電時刻情報と対応付けて更に記録し、
前記充電習慣情報生成手段は、当該充電時刻情報と当該基地局位置情報又は基地局識別子とに基づいて、所定以上の頻度で、ある時間帯に、所定の基地局との接続が確立した中で、前記電池への充電が開始されるとの充電習慣情報を生成し、
前記インタフェース制御手段は、当該充電習慣情報が生成された場合、前記充電状態判定手段の判定にかかわらず、当該時間帯に又は当該時間帯に先立って、接続された前記第１の無線ネットワークの基地局が前記所定の基地局と特定された際に、第２の無線インタフェースを起動させ、
前記接続制御手段は、前記圏内判定手段が真の判定を行った際、当該時間帯に、前記第２の無線ネットワークとの接続を開始する
ことを特徴とする請求項５に記載の携帯端末。
【請求項９】
前記充電情報記録手段は、前記充電状態判定手段による判定に基づいて前記第２の無線ネットワークとの間で開始された接続の際に取得されたネットワーク識別子を、当該充電時刻情報と対応付けて更に記録し、
前記圏内判定手段は、起動した前記第２の無線インタフェースを用いて、前記携帯端末が、対応する当該ネットワーク識別子によって特定される第２の無線ネットワークのエリア内に居るか否かを判定し、
前記接続制御手段は、前記圏内判定手段が真の判定を行った際、当該時間帯に、前記第２の無線ネットワークとの接続を開始する
ことを特徴とする請求項５から８のいずれか１項に記載の携帯端末。
【請求項１０】
第１の無線ネットワークに接続する第１の無線インタフェースと、該第１の無線ネットワークのエリアに包含される又は隣接するエリアを有する第２の無線ネットワークに接続する第２の無線インタフェースとを備えた携帯端末に搭載されたネットワーク接続制御プログラムであって、
前記携帯端末は、通信用の電源である電池を備えており、
前記ネットワーク接続制御プログラムは、
前記電池が充電中であるか否かを判定する充電状態判定手段と、
前記第１の無線ネットワークに接続している間、前記第２の無線インタフェースを停止させ、前記充電状態判定手段が真の判定を行った際、該第２の無線インタフェースを起動させるインタフェース制御手段と、
起動した前記第２の無線インタフェースを用いて、前記携帯端末が前記第２の無線ネットワークのエリア内に居るか否かを判定する圏内判定手段と、
前記圏内判定手段が真の判定を行った際、前記第２の無線ネットワークとの接続を開始する接続制御手段と
してコンピュータを機能させることを特徴とするネットワーク接続制御プログラム。
【請求項１１】
第１の無線ネットワークに接続する第１の無線インタフェースと、該第１の無線ネットワークのエリアに包含される又は隣接するエリアを有する第２の無線ネットワークに接続する第２の無線インタフェースとを備えた携帯端末におけるネットワーク接続制御方法であって、
前記携帯端末は、通信用の電源である電池を備えており、
前記ネットワーク接続制御方法は、
前記電池が充電中であるか否かを判定する第１のステップと、
前記第１の無線ネットワークに接続している間、前記第２の無線インタフェースを停止させ、第１のステップで真の判定が行われた際、該第２の無線インタフェースを起動させる第２のステップと、
起動した前記第２の無線インタフェースを用いて、前記携帯端末が前記第２の無線ネットワークのエリア内に居るか否かを判定する第３のステップと、
第３のステップで真の判定が行われた際、前記第２の無線ネットワークとの接続を開始する第４のステップと
を有することを特徴とするネットワーク接続制御方法。
【発明の詳細な説明】
【技術分野】
【０００１】
本発明は、複数の無線インタフェースを備えた携帯端末について、無線ネットワークとの通信接続を切り替える技術に関する。
【背景技術】
【０００２】
近年、スマートフォンの普及に伴い多量のデータ通信が発生し、３Ｇ(3rd Generation) 携帯電話網のトラヒックが急増している。その結果、携帯電話網における輻輳の増大や通信品質の低下が問題となっている。
【０００３】
この問題を解決するための技術としてデータオフロードが挙げられる。データオフロードは、１つの通信網に転送すべきデータトラフィックを、これとは別の通信網へ迂回させる技術である。
【０００４】
この技術の一例として、特許文献１には、第１の通信網（無線ＬＡＮ）のエリアに近づいていることを検知した際、第１の通信網に接続するインタフェース部をアクティブにして通信品質を監視し、第１の通信網の通信品質が良い場合に、接続先を第２の通信網（携帯電話網）から第１の通信網に切り替える無線端末装置が開示されている。この無線端末装置は、第１の通信網（無線ＬＡＮ）のエリア情報を必須とし、同情報を自ら格納するか又はサーバから取得する。このエリア情報を利用することによって、無線ＬＡＮエリアを常時サーチしなくても無線ＬＡＮのエリアを予測することができる。
【先行技術文献】
【特許文献】
【０００５】
【特許文献１】特開２０１２−５０３６号公報
【発明の概要】
【発明が解決しようとする課題】
【０００６】
しかしながら、特許文献１のような従来技術を用いても、無線ＬＡＮ用のインタフェースを不必要に起動させたり、無線ＬＡＮと不要な接続を行ったりといった不都合を、十分に回避することは非常に困難である。
【０００７】
実際、例えば、特許文献１の技術では、ユーザが携帯端末を所持しつつ無線ＬＡＮエリアを単に横切った場合、さらには無線ＬＡＮエリア内で一時的に立ち止まった場合にも、格納した無線ＬＡＮエリア情報に基づき、携帯端末は同エリア内であると判定される。次いで、この判定に基づき無線ＬＡＮ用のインタフェースが起動され、通信接続が無線ＬＡＮに切り替えられてしまい、短時間の後、再び携帯電話網に切り替え直される。この切り替え動作は本来不要であり、また、この切り替えの最中には、一時的に携帯端末は通信切断状態となる。従って、このような切り替えが頻繁に発生することは、ユーザの利便性を大きく低下させてしまう。
【０００８】
そこで、本発明は、不要な無線インタフェースの起動及び不要な通信接続を抑制しつつ、通信網との接続を適宜切り替えることができる携帯端末、接続制御プログラム及び方法を提供することを目的とする。
【課題を解決するための手段】
【０００９】
本発明によれば、第１の無線ネットワークに接続する第１の無線インタフェースと、この第１の無線ネットワークのエリアに包含される又は隣接するエリアを有する第２の無線ネットワークに接続する第２の無線インタフェースとを備えた携帯端末であって、
通信用の電源である電池と、
電池が充電中であるか否かを判定する充電状態判定手段と、
第１の無線ネットワークに接続している間、第２の無線インタフェースを停止させ、充電状態判定手段が真の判定を行った際、第２の無線インタフェースを起動させるインタフェース制御手段と、
起動した第２の無線インタフェースを用いて、携帯端末が第２の無線ネットワークのエリア内に居るか否かを判定する圏内判定手段と、
圏内判定手段が真の判定を行った際、第２の無線ネットワークとの接続を開始する接続制御手段と
を有する携帯端末が提供される。
【００１０】
この本発明による携帯端末の一実施形態として、本携帯端末は、
加速度を検出する加速度センサと、
加速度センサから出力される加速度情報を用いて、携帯端末が所定時間継続して非移動状態にあるか否かを判定する非移動判定手段と
を更に有しており、
インタフェース制御手段は、充電状態判定手段が真の判定を行い且つ非移動判定手段が真の判定を行った際、第２の無線インタフェースを起動させることも好ましい。
【００１１】
また、本発明による携帯端末の他の実施形態として、本携帯端末は、
携帯端末の所在位置を測位する測位部と、
測位部から出力される所在位置情報を用いて、携帯端末が所定時間継続して所定位置範囲内に留まっているか否かを判定する所在位置判定手段と
を更に有しており、
インタフェース制御手段は、充電状態判定手段が真の判定を行い且つ所在位置判定手段が真の判定を行った際、第２の無線インタフェースを起動させることも好ましい。
【００１２】
さらに、本発明による携帯端末の他の実施形態として、本携帯端末は、
接続中の第１の無線ネットワークにおける基地局の基地局位置情報又は基地局識別子を逐次取得し、基地局位置情報又は基地局識別子が所定時間継続して変化しないか否かを判定する基地局判定手段を更に有しており、
インタフェース制御手段は、充電状態判定手段が真の判定を行い且つ基地局判定手段が真の判定を行った際、第２の無線インタフェースを起動させることも好ましい。
【００１３】
また、本発明による携帯端末の他の実施形態として、本携帯端末は、
電池の充電についての充電時刻情報を逐次記録する充電情報記録手段と、
充電時刻情報に基づいて、所定以上の頻度で、ある時間帯に、電池への充電が開始されるとの充電習慣情報を生成する充電習慣情報生成手段と
を更に有しており、
インタフェース制御手段は、充電習慣情報が生成された場合、充電状態判定手段の判定にかかわらず、当該時間帯に又は当該時間帯に先立って、第２の無線インタフェースを起動させ、
接続制御手段は、圏内判定手段が真の判定を行った際、当該時間帯に、第２の無線ネットワークとの接続を開始することも好ましい。
【００１４】
この充電習慣情報を利用する実施形態において、充電情報記録手段は、充電状態判定手段による真の判定に基づいて第２の無線ネットワークとの間で開始された接続についての接続時刻情報を、充電時刻情報と対応付けて更に記録し、
充電習慣情報生成手段は、接続時刻情報に基づいて、所定以上の頻度で、ある時間帯に、第２の無線ネットワークとの接続が開始されるとの充電習慣情報を生成し、
インタフェース制御手段は、充電習慣情報が生成された場合、充電状態判定手段の判定にかかわらず、当該時間帯に又は当該時間帯に先立って、第２の無線インタフェースを起動させ、
接続制御手段は、圏内判定手段が真の判定を行った際、当該時間帯に、第２の無線ネットワークとの接続を開始することも好ましい。
【００１５】
さらに、充電習慣情報を利用する実施形態において、携帯端末の所在位置を測位する測位部を更に備えており、
充電情報記録手段は、電池の充電時の所在位置である充電位置情報を、充電時刻情報と対応付けて更に記録し、
充電習慣情報生成手段は、充電時刻情報及び充電位置情報に基づいて、所定以上の頻度で、ある時間帯に、ある位置範囲内で電池への充電が開始されるとの充電習慣情報を生成し、
インタフェース制御手段は、充電習慣情報が生成された場合、充電状態判定手段の判定にかかわらず、当該時間帯に又は当該時間帯に先立って、測位部の出力する所在位置が当該位置範囲内である際に、第２の無線インタフェースを起動させ、
接続制御手段は、圏内判定手段が真の判定を行った際、当該時間帯に、第２の無線ネットワークとの接続を開始することも好ましい。
【００１６】
さらにまた、充電習慣情報を利用する実施形態において、
充電情報記録手段は、電池の充電時に接続された第１の無線ネットワークの基地局における基地局位置情報又は基地局識別子を、充電時刻情報と対応付けて更に記録し、
充電習慣情報生成手段は、充電時刻情報と基地局位置情報又は基地局識別子とに基づいて、所定以上の頻度で、ある時間帯に、所定の基地局との接続が確立した中で、電池への充電が開始されるとの充電習慣情報を生成し、
インタフェース制御手段は、充電習慣情報が生成された場合、充電状態判定手段の判定にかかわらず、当該時間帯に又は当該時間帯に先立って、接続された第１の無線ネットワークの基地局が所定の基地局と特定された際に、第２の無線インタフェースを起動させ、
接続制御手段は、圏内判定手段が真の判定を行った際、当該時間帯に、第２の無線ネットワークとの接続を開始することも好ましい。
【００１７】
また、充電習慣情報を利用する実施形態において、充電情報記録手段は、充電状態判定手段による判定に基づいて第２の無線ネットワークとの間で開始された接続の際に取得されたネットワーク識別子を、充電時刻情報と対応付けて更に記録し、
圏内判定手段は、起動した第２の無線インタフェースを用いて、携帯端末が、対応するネットワーク識別子によって特定される第２の無線ネットワークのエリア内に居るか否かを判定し、
接続制御手段は、圏内判定手段が真の判定を行った際、当該時間帯に、第２の無線ネットワークとの接続を開始することも好ましい。
【００１８】
本発明によれば、さらに、第１の無線ネットワークに接続する第１の無線インタフェースと、この第１の無線ネットワークのエリアに包含される又は隣接するエリアを有する第２の無線ネットワークに接続する第２の無線インタフェースとを備えた携帯端末に搭載されたネットワーク接続制御プログラムであって、
本携帯端末は、通信用の電源である電池を備えており、
ネットワーク接続制御プログラムは、
電池が充電中であるか否かを判定する充電状態判定手段と、
第１の無線ネットワークに接続している間、第２の無線インタフェースを停止させ、充電状態判定手段が真の判定を行った際、第２の無線インタフェースを起動させるインタフェース制御手段と、
起動した第２の無線インタフェースを用いて、携帯端末が第２の無線ネットワークのエリア内に居るか否かを判定する圏内判定手段と、
圏内判定手段が真の判定を行った際、第２の無線ネットワークとの接続を開始する接続制御手段と
してコンピュータを機能させるネットワーク接続制御プログラムが提供される。
【００１９】
本発明によれば、さらにまた、第１の無線ネットワークに接続する第１の無線インタフェースと、この第１の無線ネットワークのエリアに包含される又は隣接するエリアを有する第２の無線ネットワークに接続する第２の無線インタフェースとを備えた携帯端末におけるネットワーク接続制御方法であって、
本携帯端末は、通信用の電源である電池を備えており、
ネットワーク接続制御方法は、
電池が充電中であるか否かを判定する第１のステップと、
第１の無線ネットワークに接続している間、第２の無線インタフェースを停止させ、第１のステップで真の判定が行われた際、第２の無線インタフェースを起動させる第２のステップと、
起動した第２の無線インタフェースを用いて、携帯端末が第２の無線ネットワークのエリア内に居るか否かを判定する第３のステップと、
第３のステップで真の判定が行われた際、第２の無線ネットワークとの接続を開始する第４のステップと
を有するネットワーク接続制御方法が提供される。
【発明の効果】
【００２０】
本発明の携帯端末、ネットワーク接続制御プログラム及び方法によれば、不要な無線インタフェースの起動及び不要な通信接続を抑制しつつ、通信網との接続を適宜切り替えることができる。
【図面の簡単な説明】
【００２１】
【図１】本発明の携帯端末におけるネットワーク接続制御を概略的に示す説明図である。
【図２】本発明による携帯端末の一実施形態を示す機能構成図である。
【図３】ユーザが携帯端末を所持して徒歩で移動した際の、加速度センサから出力される加速度の各軸方向成分における時間変化を示すグラフである。
【図４】本発明によるネットワーク接続制御方法の一実施形態を示すフローチャートである（前半）。
【図５】本発明によるネットワーク接続制御方法の一実施形態を示すフローチャートである（後半）。
【図６】充電習慣情報に基づいて通信接続を切り替えるネットワーク接続制御方法を説明する概略図である。
【図７】図６に示したネットワーク接続制御方法を実施することができる携帯端末の一実施形態を示す機能構成図である。
【発明を実施するための形態】
【００２２】
以下、本発明の実施形態について、図面を用いて詳細に説明する。
【００２３】
図１は、本発明の携帯端末におけるネットワーク接続制御を概略的に示す説明図である。
【００２４】
図１によれば、
ａ）第１の無線ネットワークとしての３Ｇ（3rd Generation）携帯電話網と、
ｂ）この３Ｇ携帯電話網の通信エリア２に包含された通信エリア３を有する、第２の無線ネットワークとしての無線ＬＡＮ（Local Area Network）と
が設けられている。
【００２５】
また、携帯端末１は、３Ｇ携帯電話網に接続する第１の無線インタフェース１００と、無線ＬＡＮに接続する第２の無線インタフェース１０１と、通信用の電源である電池１０４と、電池１０４が充電中であるか否かを判定する充電状態判定部１１０とを有している。
【００２６】
ユーザは、当初、この携帯端末１を所持して、３Ｇ携帯電話網の通信エリア２内を移動し、自宅等に設置された無線ＬＡＮの通信エリア３に向かう。この通信エリア３の設定された場所は、ユーザにとって自宅等の滞在場所であり、携帯端末１（の電池１０４）を充電する設備（例えば、家庭用交流電源（の差込口））を備えている。
【００２７】
ここで、携帯端末１は、第１の無線インタフェース１００を介して３Ｇ携帯電話網と接続している。また、この間、無線ＬＡＮに接続可能な第２の無線インタフェース１０１は、停止している。さらに、携帯端末１は移動中（ユーザは歩行中）であって電池１０４は充電中ではない（主に放電中である）。
【００２８】
このような状況で、携帯端末１は、充電状態判定部１１０から出力される判定結果、即ち、電池１０４は充電中ではないとの情報、に基づいて、携帯端末１自身が移動中であるか、又は少なくとも現在位置に長く留まることはない、と判断する。
【００２９】
次いで、ユーザは、無線ＬＡＮの通信エリア３（無線ＬＡＮが設置された自宅等）内に入り、立ち止まる（例えば充電及び通信を行うために着席する）。その後、ユーザは、携帯端末１（の電池１０４）を充電する設備を用いて充電を行う。ここで、充電状態判定部１１０は、電池１０４が充電中であると判定する。この際、
ａ）電池１０４が充電中であるならば、ユーザは現在の場所に長く留まる（長時間滞在する）可能性が高いと判断され、さらに、
ｂ）ユーザが長く留まる位置（例えば自宅等）は、無線ＬＡＮ（第２の無線ネットワーク）の通信エリア３内である可能性がある、と判断される。
【００３０】
携帯端末１は、この判断に基づき、無線ＬＡＮの通信エリア３に入った可能性があるとして、第２の無線インタフェース１０１を起動させる。次いで、携帯端末１は、この起動した第２の無線インタフェース１０１を用いて取得した信号情報から、自身が無線ＬＡＮの通信エリア３内に居るとの判定を行った際、この無線ＬＡＮとの接続を開始する。
【００３１】
尚、後に詳述するように、携帯端末１は、加速度センサ１０５（図２）を備えていて、充電中であると判定した際に、加速度センサ１０５から出力される加速度情報を利用して、携帯端末１自身が移動中ではない（ユーザが現在の場所に留まっている）ことを確認することも好ましい。また、携帯端末１は、ＧＰＳ（Global Positioning System）等の測位機能を有していて、携帯端末１自身が移動中ではないことを、測位情報から直接確認することも好ましい。これらの非移動確認手段を用いることによって、ユーザが持ち運び可能な充電器を利用して移動中に充電を行うケースにおいて、第２の無線インタフェース１０１を起動してしまう、といった事態が回避可能となる。
【００３２】
さらに、携帯端末１は、通信の確立した３Ｇ携帯電話網の基地局が変わっていないか否かを判定し、携帯端末１自身が３Ｇ携帯電話網における同一の基地局の通信エリア内に留まっていることを確認することも好ましい。以上に述べた好適な場合における第２の無線インタフェース１０１を起動する条件は要するに、充電中であること、且つ加速度情報、測位情報又は基地局情報から非移動状態であると判断されること、となる。
【００３３】
その後、ユーザは充電を終了し、さらに、留まっていた場所からの移動を開始し、無線ＬＡＮの通信エリア３の外に向かう。ここで、携帯端末１は、無線ＬＡＮの通信品質（受信信号強度、スループット、又はパケットエラーレート等）が所定閾値未満に劣化した際、携帯端末１自身が無線ＬＡＮの通信エリア３の外に出たと判断する。携帯端末１は、この判断に基づいて、再び３Ｇ携帯電話網との接続を開始し、一方で第２の無線インタフェース１０１を停止させて無線ＬＡＮとの接続を終了する。
【００３４】
以上述べたように、携帯端末１は、
ａ）電池１０４が充電中であるか否かを判定することによって、携帯端末１自身が現在位置に長く留まることになるのか否かを判断し、
ｂ）充電中であるとの判定（長く留まるとの判断）を行った際、第２の無線ネットワーク（無線ＬＡＮ）との接続を試み、第１の無線ネットワーク（３Ｇ携帯電話網）と第２の無線ネットワークとの間で接続を切り替える。
【００３５】
このように、携帯端末１では、充電情報を用いて第１及び第２の無線ネットワーク間の接続切り替えを判断する。従って、ユーザ（携帯端末１）が第２の無線ネットワーク（無線ＬＡＮ）エリアを単に横切った場合、さらには第２の無線ネットワークエリア内で一時的に立ち止まった場合にも、第２の無線インタフェース１０１を起動させることはなく、従って、第２の無線ネットワークと接続することもない。その結果、不要な無線インタフェースの起動及び不要な通信接続の切り替えを回避することができる。また、これ故に、電力消費を抑制することも可能となる。
【００３６】
また、携帯端末１では、無線ネットワーク間の接続切り替え判断のために、無線ネットワークのエリア情報を予め、更には更新しつつ、保持する必要がない。即ち、無線ネットワークのエリア情報を何ら用いずに、無線ネットワークとの接続を適切に切り替えることが可能となる。
【００３７】
ここで、充電中であるとの判定がなされた際、第１及び第２の無線ネットワーク両者の通信品質（受信信号強度、スループット、又はパケットエラーレート等）を比較し、第２の無線ネットワークの通信品質がより高いと判定した場合に、第２の無線ネットワークとの接続を開始することも可能である。
【００３８】
尚、図１では、第２の無線ネットワーク（無線ＬＡＮ）の通信エリア３を１つ示しただけであるが、複数の無線ＬＡＮ通信エリア３が、第１の無線ネットワーク（３Ｇ携帯電話網）の通信エリア２内に設置されていてもよい。起動した第２の無線インタフェース１０１は、これら複数の無線ＬＡＮのいずれとも接続される可能性がある。
【００３９】
また、第１及び第２の無線ネットワークはそれぞれ、３Ｇ携帯電話網及び無線ＬＡＮに限定されるものではない。例えば、第１の無線ネットワークがより広い通信エリアを有する一方、第２の無線ネットワークが通常、より速度の高い通信を提供するものであることも好ましい。
【００４０】
さらに、第２の無線ネットワークが第１の無線ネットワークに隣接しており、携帯端末１が、第１の無線ネットワークの通信エリア２から第２の無線ネットワークの通信エリア３に、更には通信エリアをその逆に通過するように、移動することが可能な状況であってもよい。
【００４１】
図２は、本発明による携帯端末１の一実施形態を示す機能構成図である。
【００４２】
図２によれば、携帯端末１は、第１の無線インタフェース１００と、第２の無線インタフェース１０１と、充電用インタフェース１０２と、充電状態検出部１０３と、電池１０４と、加速度センサ１０５と、測位部１０６と、プロセッサ・メモリとを備えている。ここで、プロセッサ・メモリは、プログラムを実行することによってその機能を実現させる。
【００４３】
また、プロセッサ・メモリは、機能構成部として、充電状態判定部１１０と、非移動判定部１１１と、基地局判定部１１２ａと、所在位置判定部１１２ｂと、圏内判定部１１３と、通信品質判定部１１４と、インタフェース制御部１１５と、接続制御部１１６と、通信部１１７とを有する。
【００４４】
第１の無線インタフェース１００は、第１の無線ネットワーク（３Ｇ携帯電話網）に接続し、第１の無線ネットワークとの通信を仲介する。一方、第２の無線インタフェース１０１は、第１の無線ネットワークの通信エリア２に包含される又は隣接する通信エリア３を有する第２の無線ネットワーク（無線ＬＡＮ）に接続し、第２の無線ネットワークとの通信を仲介する。
【００４５】
電池１０４は、携帯端末１における通信を含む端末機能を発動させるための電源である。充電用インタフェース１０２は、家庭用若しくは店舗等利用者用の交流電源、又は充電用に設置された直流電源、といった外部に存在する充電利用可能な電力供給源から、充電用の電力を、電池１０４に供給する際の仲介接続部である。充電用インタフェース１０２が外部からの電力を、充電に適した形態の電力に変換することも好ましい。充電状態検出部１０３は、電池１０４に供給される、充電用の交流又は直流電力（電流、電圧）を検出し、検出結果を充電状態判定部１１０に出力する。
【００４６】
加速度センサ１０５は、ＭＥＭＳ（Micro Electro Mechanical Systems）技術を用いて形成された、例えば静電容量方式又はピエゾ抵抗方式による、３軸タイプの加速度計測計とすることができる。加速度センサ１０５として、重力加速度を計測して携帯端末１の上下方向の姿勢を割り出したり、携帯端末１を所持したユーザの歩数をカウントしたりする加速度センサを用いてもよい。また、測位部１０６は、ＧＰＳ衛星４を利用して、ＧＰＳ測位方式によって携帯端末１の所在位置を測位する。
【００４７】
充電状態判定部１１０は、充電状態検出部１０３から入力した充電電力の検出結果に基づいて、電池１０４が充電中であるか否かを判定する。この判定は、携帯端末１（ユーザ）が現在位置に長く留まることになるのか否かを判断することに相当する。次いで、この判定結果をインタフェース制御部１１５に出力する。
【００４８】
非移動判定部１１１は、加速度センサ１０５から出力される加速度情報を用いて、携帯端末１が所定時間継続して非移動状態（現在の場所に留まる状態）にあるか否かを判定する。具体的には、歩行に相当する周期的な加速度の変動が加速度情報から所定時間検出されない際、携帯端末１が当該所定時間継続して非移動状態にあるとの判定を行う。また、非移動判定部１１１は、この判定結果をインタフェース制御部１１５に出力する。
【００４９】
基地局判定部１１２ａは、携帯端末１との間で通信の確立された３Ｇ携帯電話網の基地局が、変わっていないか否かを判定する。具体的には、以下の２つの方法が可能である。
（ａ）基地局判定部１１２ａは、３Ｇ携帯電話網との通信確立時に取得した基地局の識別子（基地局ＩＤ）を記録しておき、現在使用している３Ｇ携帯電話網の通信から取得される基地局ＩＤが、記録されたものと同一であるか否かを判定する。または、
（ｂ）基地局判定部１１２ａは、基地局から特定のタイミングで通知される基地局の位置情報、例えば基地局設置位置の緯度・経度情報、を適宜記録しておく。次いで、新たに通知された基地局の位置情報が、記録されたものと同一であるか否かを判定する。尚、本判定方法は、基地局が各携帯端末に対して基地局位置情報を、特定のタイミングで自動的に通知する位置情報提供サービスを利用するものである。
基地局判定部１１２ａは、次いで、この判定結果をインタフェース制御部１１５に出力する。
【００５０】
基地局判定部１１２ｂは、測位部１０６から出力される所在位置情報を用いて、携帯端末１が所定時間継続して所定位置範囲内に留まっているか否かを判定する。次いで、この判定結果を、インタフェース制御部１１５に出力する。
【００５１】
インタフェース制御部１１５は、３Ｇ携帯電話網（第１の無線ネットワーク）に接続している間、第２の無線インタフェース１０１を停止させ、充電状態判定部１１０から真の判定結果、即ち充電中との判定結果、を入力した際、第２の無線インタフェース１０１を起動させる。さらに、インタフェース制御部１１５は、第１及び第２の無線インタフェース１００及び１０１の起動・停止情報を、接続制御部１１６に出力する。
【００５２】
また、他の実施形態として、インタフェース制御部１１５は、
（ａ）充電状態判定部１１０から真の判定結果を入力し、且つ非移動判定部１１１から真の判定結果、即ち所定時間継続して非移動状態にあるとの判定結果、を入力した際、第２の無線インタフェース１０１を起動させることも好ましく、
（ｂ）充電状態判定部１１０から真の判定結果を入力し、且つ基地局判定部１１２ａから真の判定結果、即ち基地局が変わっていないとの判定結果、を入力した際、第２の無線インタフェース１０１を起動させることも好ましく、さらに、
（ｃ）充電状態判定部１１０から真の判定結果を入力し、且つ所在位置判定部１１２ｂから真の判定結果、即ち所定の位置範囲内に留まっているとの判定結果、を入力した際、第２の無線インタフェース１０１を起動させることも好ましい。
【００５３】
尚、加速度センサ１０５及び非移動判定部１１１も、基地局判定部１１２ａも、測位部１０６及び所在位置判定部１１２ｂも使用せずに、充電状態判定部１１０での判定結果に基づいて、インタフェース制御部１１５が第２の無線インタフェース１０１の起動を制御することもできる。即ち、電池１０４が充電中であれば、ユーザは現在位置に長く留まる可能性が高い、として第２の無線インタフェース１０１を起動させる実施形態も可能である。
【００５４】
圏内判定部１１３は、起動した第２の無線インタフェース１０１を用いて、受信信号の有無又は受信信号の強度から、携帯端末１が無線ＬＡＮの通信エリア３内に居るか否かを判定する。また、この判定結果を接続制御部１１６に出力する。一方、通信品質判定部１１４は、３Ｇ携帯電話網の通信品質（受信信号強度、スループット、又はパケットエラーレート等）と無線ＬＡＮの通信品質とを測定し、いずれの通信品質がより高いかを判定する。また、この判定結果を接続制御部１１６に出力する。
【００５５】
接続制御部１１６は、圏内判定部１１３によって携帯端末１が無線ＬＡＮ（第２の無線ネットワーク）の通信エリア３内に居るとの判定がなされた際、無線ＬＡＮとの接続を開始する。また、変更態様として、接続制御部１１６は、圏内判定部１１３によって携帯端末１が無線ＬＡＮの通信エリア３内に居るとの判定がなされ、且つ通信品質判定部１１４によって無線ＬＡＮの通信品質がより高いとの判定が行われた際、無線ＬＡＮとの接続を開始することも好ましい。
【００５６】
接続制御部１１６は、さらに、無線ＬＡＮとの接続が開始された後、通信品質判定部１１４によって、無線ＬＡＮの通信品質が所定閾値未満である、との判定が行われた際、無線ＬＡＮとの接続を終了する。また、変更態様として、接続制御部１１６は、無線ＬＡＮとの接続が開始された後、圏内判定部１１３によって携帯端末１が無線ＬＡＮの通信エリア３内に居ないとの判定が行われた際、無線ＬＡＮとの接続を終了することも好ましい。具体例として、圏内判定部１１３は、無線ＬＡＮのアクセスポイントからの受信信号強度を測定（モニタ）し、受信信号強度が所定閾値未満となった際、無線ＬＡＮの通信エリア３内に居ないとの判定を行うことができる。さらに、接続制御部１１６は、第１及び第２の無線インタフェース１００及び１０１の接続・非接続情報を、インタフェース制御部１１５に出力する。
【００５７】
通信部１１７は、接続制御部１１６によって制御された経路を用いて、第１及び第２の無線ネットワーク（３Ｇ携帯電話網、無線ＬＡＮ）を介したデータ、音声等の送受信を行う。
【００５８】
図３は、ユーザが携帯端末１を所持して徒歩で移動した際の、加速度センサ１０５から出力される加速度の各軸方向成分における時間変化を示すグラフである。
【００５９】
図３（Ｂ）及び（Ｃ）にそれぞれ、ユーザが携帯端末１をズボンのポケットに収納して徒歩で移動した際の、及びユーザが携帯端末１を手に保持して徒歩で移動した際の、加速度センサ１０５からの出力の実測例を示す。これらの図には、加速度のｘ軸方向成分：ＡＣＣｘ、加速度のｙ軸方向成分：ＡＣＣｙ、及び加速度のｚ軸方向成分：ＡＣＣｚの各々の時間変化が、グラフとして表されている。尚、ｘ、ｙ及びｚ軸は、図３（Ａ）に示された方向に付与された座標軸である。また、グラフの縦軸は加速度であり、単位は［Ｇ］（１Ｇ＝９.８ｍ／ｓ２）である。
【００６０】
図３（Ｂ）によれば、ＡＣＣｘ、ＡＣＣｙ及びＡＣＣｚはいずれも、周期的に変動する値を示す。この周期（Ｔ＝約１.１秒）は、踵の接地から同じ足の踵の接地までの２歩分に相当する歩行周期に相当し、これら周期的な変動は、ユーザが徒歩で移動していることを示す。一方、図３（Ｃ）においても、ＡＣＣｘ、ＡＣＣｙ及びＡＣＣｚはいずれも、周期的に変動する値を示す。この周期（Ｔ＝約０.５４秒）は歩行周期の半分（１歩毎の周期）に相当し、これら周期的な変動も、ユーザが徒歩で移動していることを示す。
【００６１】
ここで、図３（Ｂ）及び（Ｃ）に示すそれぞれの加速度データに、歩行運動に相当する周期的な変動が含まれているか否かを調べ、歩行に相当する周期的な加速度の変動が加速度情報から検出された際、携帯端末１は移動（歩行）状態にあるとの判定を行う。一方、歩行に相当する周期的な加速度の変動が加速度情報から所定時間検出されない際、携帯端末１は所定時間継続して非移動状態（歩行を止めた状態）にあるとの判定を行う。
【００６２】
ここで、加速度データから歩行運動に相当する周期的な変動を抽出する一方法を説明する。本方法（ａ）〜（ｃ）は、特開２０１２−２１８７０号公報に開示されている技術を用いている。
（ａ）最初に、加速度データ（ＡＣＣｘ、ＡＣＣｙ及びＡＣＣｚ）から鉛直方向加速度を算出する。
（ｂ）次いで、鉛直方向加速度の極大点（又は極小点）を歩行タイミングとして検出する。ここで、極大点（極小点）は、身体が下がって足が接地した（身体とともに足が上がった）時点に対応しており、鉛直方向加速度のグラフに極大点（極小点）が現れる毎に、１歩だけ歩行が進んだことになる。
（ｃ）最後に、所定時間（例えば６０秒）内に、歩行タイミングが検出されない場合、歩行運動に相当する周期的な変動は存在しないと判定する。
【００６３】
また、上記以外にも、従来歩数計で使用されている歩行判断及び歩数カウントの方法を利用したり、加速度各軸方向成分の測定値のフーリエ変換処理（スペクトル解析）パターンを利用したりして、歩行運動の周期的変動を抽出することが可能である。さらに、変更態様として、所定時間Ｔ１におけるＡＣＣｘ、ＡＣＣｙ及びＡＣＣｚのデータから加速度の標準偏差σａｃｃを求め、この標準偏差σａｃｃが、Ｓを所定の閾値として、σａｃｃ≦Ｓを満たす場合、時間Ｔ１内について、携帯端末１は非移動状態にあったと判定することも可能である。
【００６４】
実際に、ユーザが、充電設備を備えた自宅等に設定された無線ＬＡＮの通信エリア３内に入る際、その移動形態は、徒歩となる場合がほとんどである。従って、上述したように、徒歩での移動の有無を判断することによって、無線ＬＡＮに接続可能な状況でより確実に無線ＬＡＮに接続することができる。また、無線ＬＡＮに接続する必要がない状況又は接続不可能な状況で、より確実に第２の無線インタフェースを停止したままにすることが可能となる。
【００６５】
図４及び図５は、本発明によるネットワーク接続制御方法の一実施形態を示すフローチャートである。
【００６６】
［第１の無線ネットワークから第２の無線ネットワークへの接続切り替え］
最初に図４を用いて各ステップを説明する。
（Ｓ４００）当初、第１の無線ネットワーク（３Ｇ携帯電話網）との間で通信を確立する。
（Ｓ４０１）当初、第２の無線インタフェース１０１は停止しており、また、このステップで停止していない場合、第２の無線インタフェース１０１を停止させる。
【００６７】
（Ｓ４０２）電池１０４に対する充電状態又は非充電状態を検出する。
（Ｓ４０３）電池１０４が充電中か否かを判定する。ここで、偽の判定、即ち充電中ではないとの判定を行った際、ステップＳ４０２に戻り、充電・非充電状態の検出・判定を繰り返す。
【００６８】
（Ｓ４０４）一方、ステップＳ４０３で真の判定、即ち充電中であるとの判定を行った際、ユーザは現在の場所に長く留まる（長時間滞在する）可能性が高いとし、確認のため、非移動判定ループ（ステップＳ４０４〜Ｓ４０８）を開始する。ここで、開始時刻ｔをゼロとし、加速度測定のサンプリング時間間隔をΔｔとし、非移動判定時間をＴ１とする。また、サンプリング回数（時間経過）のパラメータｉの初期値をゼロとする。尚、非移動判定時間Ｔ１は、例えばＴ１＝６０（秒）に設定される。
【００６９】
（Ｓ４０５）パラメータｉを１だけ増分する。
（Ｓ４０６）時刻ｔがｔ＝Δｔ×ｉとなるまで、ウェイトする。
（Ｓ４０７）加速度ＡＣＣｘｉ、ＡＣＣｙｉ及びＡＣＣｚｉを測定する。
【００７０】
（Ｓ４０８）時刻ｔが、ｔ≧Ｔ１の条件を満たす際（ループ開始から時間Ｔ１が経過した際）、本非移動判定ループを終了する。
（Ｓ４０９）測定した加速度データ（ＡＣＣｘｉ、ＡＣＣｙｉ及びＡＣＣｚｉ）から鉛直方向加速度を算出し、極大点としての歩行タイミングを検出する。
（Ｓ４１０）携帯端末１が時間Ｔ１の間継続して非移動状態（歩行を止めた状態）であるか否かを判定する。この際、時間Ｔ１の間に歩行タイミングが検出されないか否かが判定されることも好ましい。
【００７１】
（Ｓ４１１）ステップＳ４１０で真の判定、即ち、携帯端末１が時間Ｔ１の間継続して非移動状態にあるとの判定が行われた際、第２の無線インタフェース１０１を起動させる。
一方、ステップＳ４１０で偽の判定が行われた際、携帯端末１が充電中ではあるが非移動状態にあるとして、携帯端末１における充電・非充電状態のモニタ（図５のステップＳ５１１及びＳ５１２）に移行する。
【００７２】
（Ｓ４１２）第２の無線ネットワークのアクセスポイントから発信されるビーコン信号を待ち受けし、発信されたビーコン信号を受信する。
（Ｓ４１３）ビーコン信号を受信した場合、このビーコン信号から、又は所定信号の授受の結果から、第２の無線ネットワークの通信品質（受信信号強度、スループット、又はパケットエラーレート等）を測定する。
（Ｓ４１４）ビーコン信号の有無又は受信信号強度から、携帯端末１が第２の無線ネットワークの通信エリア３内に居るか否かを判定する。
【００７３】
（Ｓ４１５）ステップＳ４１４で真の判定、即ち携帯端末１が第２の無線ネットワークの通信エリア３内に居るとの判定が行われた際、第１の無線ネットワーク（３Ｇ携帯電話網）の基地局から発信される制御信号を受信する。
一方、ステップＳ４１４で偽の判定が行われた際、第２の無線インタフェースを停止させ（図５のステップＳ５１０）、その後、携帯端末１における充電・非充電状態のモニタ（図５のステップＳ５１１及びＳ５１２）に移行する。
【００７４】
（Ｓ４１６）受信した制御信号から、又は所定信号の授受の結果から、第１の無線ネットワークの通信品質を測定する。
（Ｓ４１７）第１及び第２の無線ネットワーク（３Ｇ携帯電話網及び無線ＬＡＮ）の通信品質を比較し、第２の無線ネットワークの通信品質がより高いか否かを判定する。
【００７５】
（Ｓ４１８）ステップＳ４１７で真の判定、即ち第２の無線ネットワークの通信品質がより高いとの判定が行われた際、第２の無線ネットワークのアクセスポイントに、ＬＡＮ接続要求を送信する。
一方、ステップＳ４１７で偽の判定が行われた際、第２の無線インタフェースを停止させ（図５のステップＳ５１０）、その後、携帯端末１における充電・非充電状態のモニタ（図５のステップＳ５１１及びＳ５１２）に移行する。
【００７６】
尚、変更態様として、ステップＳ４１３及びＳ４１６（通信品質の測定）、並びにステップＳ４１７（通信品質の比較判定）は省略することも可能である。即ち、ステップＳ４１４（通信エリア判定）で真の判定が行われたならば、ステップＳ４１８（ＬＡＮ接続要求）に移行する実施形態も可能である。
【００７７】
（Ｓ４１９）第２の無線ネットワークのアクセスポイントからＬＡＮ接続応答を受信する。
（Ｓ４２０）第２の無線ネットワークに接続し、通信を確立する。
（Ｓ４２１）第２の無線ネットワークとの接続後、第１の無線インタフェース１００を停止させることも好ましい。これにより、接続されていないインタフェースによる電力消費が抑制される。以上、第１の無線ネットワークから第２の無線ネットワークへの接続切り替えが終了する。
【００７８】
ここで、第１の無線ネットワークが３Ｇ電話通信網であって第２の無線ネットワークが無線ＬＡＮの場合には、第２の無線ネットワークとの接続（Ｓ４２０）後も、音声通信の着信を待ち受けるため、第１の無線インタフェース１００を停止させないことも好ましい。一方、例えば、第１の無線ネットワークがＷｉＭＡＸ（Worldwide Interoperability for Microwave Access）であって第２の無線ネットワークが無線ＬＡＮであり、両ネットワークともにデータ通信のために使用される場合、第１の無線インタフェース１００を停止させることができる。
【００７９】
［第２の無線ネットワークから第１の無線ネットワークへの接続切り替え］
以後、図５を用いて続きのステップを説明する。
【００８０】
最初に、第２の無線ネットワーク（無線ＬＡＮ）との間で通信が確立している。
（Ｓ５００）第２の無線ネットワークのアクセスポイントから発信されるビーコン信号を受信する。
（Ｓ５０１）受信したビーコン信号から、又は所定信号の授受の結果から、第２の無線ネットワークの通信品質（受信信号強度、スループット、又はパケットエラーレート等）を測定する。
（Ｓ５０２）測定された第２の無線ネットワークの通信品質が所定閾値未満か否かを判定する。例えば、第２の無線ネットワークのアクセスポイントからの受信信号強度Ｉｌａｎが所定閾値Ｉｔｈ未満か（Ｉｌａｎ＜Ｉｔｈ）否かを判定することも好ましい。
【００８１】
（Ｓ５０３）ステップＳ５０２で真の判定、即ち第２の無線ネットワークの通信品質が所定閾値未満であるとの判定が行われた際、第１の無線インタフェースを起動する。一方、ステップＳ５０２で偽の判定が行われた際、ステップ５００に戻り、第２の無線ネットワークの通信品質のモニタ・判定（ステップＳ５００〜Ｓ５０２）を繰り返す。
【００８２】
（Ｓ５０４）第１の無線ネットワーク（３Ｇ携帯電話網）の基地局から発信される制御信号を受信する。
（Ｓ５０５）第１の無線ネットワークの基地局に、３Ｇ接続要求を送信する。
（Ｓ５０６）第１の無線ネットワークの基地局から３Ｇ接続応答を受信する。
（Ｓ５０７）第１の無線ネットワークに接続し、通信を確立する。
（Ｓ５０８）第２の無線インタフェース１０１を停止する。以上、第２の無線ネットワークから第１の無線ネットワークへの接続切り替えが終了し、本ネットワーク接続制御における一巡過程が完了する。
【００８３】
ここで、図４のステップＳ４１０（非移動状態か否かの判定）で偽の判定が行われた際に移行するステップＳ５１１、並びにステップＳ４１４（通信圏内か否かの判定）及びステップＳ４１７（通信品質の判定）で偽の判定が行われた際に移行するステップＳ５１０〜Ｓ５１２を説明する。
【００８４】
（Ｓ５１０）第２の無線インタフェース１０１を停止させる。
（Ｓ５１１）電池１０４に対する充電状態又は非充電状態を検出する。
（Ｓ５１２）電池１０４が充電中か否かを判定する。ここで、真の判定、即ち充電中であるとの判定を行った際、ステップＳ５１１に戻り、充電・非充電状態の検出・判定を繰り返す。一方、偽の判定、即ち充電中ではないとの判定を行った場合、接続制御における一巡過程が完了したとして本シーケンスを終了する。このように、ステップＳ５１０で第２の無線インタフェース１０１が停止させられた場合、携帯端末１の充電が終了した時点で、本ネットワーク接続制御が完了したとする。
【００８５】
尚、ステップＳ５１１及びＳ５１２は、移動中での充電が終了しない限り、改めて自宅等での充電が開始されることはない、との配慮から設けられている。しかしながら、移動中に充電していてそのまま自宅等での充電状態に入るといった非常に特殊なケースが想定される場合には、これらのステップは省略されてもよい。
【００８６】
図６は、充電習慣情報に基づいて通信接続を切り替えるネットワーク接続制御方法を説明する概略図である。
【００８７】
図６（Ａ）によれば、携帯端末１’のユーザは、概ね毎日１９〜２０時頃、自宅等の無線ＬＡＮの通信エリア３内に入り、その場所に留まって、携帯端末１’（電池１０４）の充電を行う。次いで、この充電開始直後に、携帯端末１’は、充電状態判定部１１０の判定に基づき、第２の無線インタフェース１０１を起動させ、無線ＬＡＮ（第２の無線ネットワーク）との接続を開始する。即ち、通信接続先が３Ｇ携帯電話網（第１の無線ネットワーク）から無線ＬＡＮに切り替えられる。
【００８８】
さらに、携帯端末１’のユーザは、概ね毎日８時頃、自宅等の無線ＬＡＮの通信エリア３から外に移動する。この際、携帯端末１’は、無線ＬＡＮとの接続を終了させ、３Ｇ携帯電話網との接続を再開する。
【００８９】
図６（Ｂ）に、以上に述べたようなユーザの充電行動に係る情報を記録した充電記録テーブル１２０ｔａを示す。充電記録テーブル１２０ｔａは、ユーザによる一連の充電行動毎に、充電時刻情報（充電開始時刻、充電終了時刻）、接続時刻情報（無線ＬＡＮ接続開始時刻、無線ＬＡＮ接続終了時刻）、及びＢＳＳＩＤ（Basic Service Set IDentifier）を記録している。ここで、ＢＳＳＩＤは、通信接続先の無線ＬＡＮのネットワーク識別子であり、通常、当該無線ＬＡＮにおけるアクセスポイントのＭＡＣアドレスと同じものとなる。
【００９０】
携帯端末１’は、常時ユーザの充電行動をモニタして、充電記録テーブル１２０ｔａを作成し、電池１０４の充電についての充電時刻情報及び接続時刻情報を逐次、所定期間（例えば一週間）記録する。次いで、携帯端末１’は、充電記録テーブル１２０ｔａに記録された充電時刻情報に基づいて、所定以上の頻度で、例えば時間帯１９：００〜２０：００に、電池１０４への充電が開始される、との充電習慣情報を生成する。尚、変更態様として、接続時刻情報に基づいて、所定以上の頻度で、例えば時間帯１９：００〜２０：００に、無線ＬＡＮとの接続が開始される、との充電習慣情報を生成してもよい。
【００９１】
ここで、所定以上の頻度とは、例えば、一週間のうち３日以上、といった予め設定された頻度であり、このような頻度で実施される充電行動を充電習慣と見なす。また、充電が開始される時間帯の幅も、無線インタフェース１０１の起動時間のずれを抑制する必要を考慮しつつ、予め設定される。
【００９２】
携帯端末１’は、このような充電習慣情報が生成された場合、充電状態判定部１１０の判定にかかわらず、時間帯１９：００〜２０：００内のいずれかの時刻に（例えば１９：３０に）又は当該時間帯に先立って（例えば１８：５９に）、第２の無線インタフェース１０１を起動させる。
【００９３】
即ち、所定の時間帯に充電することが習慣となっている場所は自宅等であって長く留まる可能性が高いとして、携帯端末１’は、当該時間帯になったら、充電状態であるか否かにかかわらず、第２の無線インタフェース１０１を起動する。次いで、所定のＢＳＳＩＤで特定される無線ＬＡＮとの接続を開始する。ここで、所定のＢＳＳＩＤとは、充電記録テーブル１２０ｔａに記録されており、習慣と見なされる充電行動に基づいて接続されてきた無線ＬＡＮのネットワーク識別子である。
【００９４】
また、充電習慣情報を用いる他の実施形態として、図６（Ｃ）に、充電時の位置情報を含む充電記録テーブル１２０ｔｂを示す。充電記録テーブル１２０ｔｂは、ユーザによる一連の充電行動毎に、充電時刻情報（充電開始時刻、充電終了時刻）、充電位置情報（充電位置の緯度、充電位置の経度）、及びＢＳＳＩＤを記録している。ここで、充電位置の緯度・経度は、携帯端末１’がＧＰＳ衛星４（図６（Ａ））を利用して充電時の位置を測位することによって、取得される。
【００９５】
携帯端末１’は、この充電記録テーブル１２０ｔｂに記録された充電時刻情報及び充電位置情報に基づいて、所定以上の頻度で、時間帯１９：００〜２０：００に、所定の位置範囲内において、電池１０４への充電が開始される、との充電習慣情報を生成する。ここで、所定の位置範囲内とは、例えば、緯度が北緯３５.８７９０５〜３５.８７９２５度内であって、経度が東経１３９.５１７５０〜１３９.５１７６５度内であることを指す。この位置範囲の幅は、測位誤差及び無線ＬＡＮエリアのサイズ等を考慮して、予め設定される。
【００９６】
携帯端末１’は、このような充電習慣情報が生成された場合、充電状態判定部１１０の判定にかかわらず、時間帯１９：００〜２０：００内のいずれかの時刻に（例えば１９：３０に）又は当該時間帯に先立って（例えば１８：５９に）、測位された現在位置が上記所定の位置範囲内である際に、第２の無線インタフェース１０１を起動させる。
【００９７】
即ち、携帯端末１’は、所定の時間帯に、且つ所定の位置範囲内で充電することが習慣となっている場所は、自宅等であって長く留まる可能性が高いとし、当該時間帯になり且つ当該所定の位置範囲内にあれば、充電状態であるか否かにかかわらず、第２の無線インタフェース１０１を起動する。次いで、所定のＢＳＳＩＤで特定される無線ＬＡＮとの接続を開始する。ここで、所定のＢＳＳＩＤとは、充電記録テーブル１２０ｔｂに記録されており、習慣と見なされる充電行動に基づいて接続された無線ＬＡＮのネットワーク識別子である。
【００９８】
さらに、充電習慣情報を用いる更なる他の実施形態として、図６（Ｄ）に、充電時に通信接続されている３Ｇ携帯電話網における基地局情報を含む充電記録テーブル１２０ｔｃを示す。充電記録テーブル１２０ｔｃは、ユーザによる一連の充電行動毎に、充電時刻情報（充電開始時刻、充電終了時刻）、基地局位置情報（基地局の緯度、基地局の経度）、及びＢＳＳＩＤを記録している。ここで、基地局の緯度・経度は、基地局が特定のタイミングで、各携帯端末に基地局自身の位置情報を通知する位置情報提供サービスを利用して、携帯端末１’によって取得される。尚、これら基地局位置情報の代わりに、通信確立時に取得された基地局ＩＤが、充電記録テーブル１２０ｔｃに記載されていてもよい。
【００９９】
携帯端末１’は、この充電記録テーブル１２０ｔｃに記録された充電時刻情報及び基地局情報（基地局位置情報又は基地局ＩＤ）に基づいて、所定以上の頻度で、時間帯１９：００〜２０：００に、所定位置に設置された基地局（又は所定の基地局ＩＤで特定される基地局）との通信接続がなされている際、電池１０４への充電が開始される、との充電習慣情報を生成する。ここで、（基地局の）所定位置とは、例えば、取得された基地局の緯度（北緯３５.８７７２３度）及び経度（東経１３９.５１９１１度）を指す。一方、所定の基地局ＩＤとは、通信確立時に取得された基地局ＩＤのことである。
【０１００】
携帯端末１’は、このような充電習慣情報が生成された場合、充電状態判定部１１０の判定にかかわらず、時間帯１９：００〜２０：００内のいずれかの時刻に（例えば１９：３０に）又は当該時間帯に先立って（例えば１８：５９に）、取得された基地局情報が上記所定位置又は所定の基地局ＩＤである際に、第２の無線インタフェース１０１を起動させる。
【０１０１】
即ち、携帯端末１’は、所定の時間帯に、且つ所定の位置範囲内で充電することが習慣となっている場所は、自宅等であって長く留まる可能性が高いとし、当該時間帯になり且つ所定の基地局との通信接続がなされる場所にあれば、充電状態であるか否かにかかわらず、第２の無線インタフェース１０１を起動する。次いで、所定のＢＳＳＩＤで特定される無線ＬＡＮとの接続を開始する。ここで、所定のＢＳＳＩＤとは、充電記録テーブル１２０ｔｃに記録されており、習慣と見なされる充電行動に基づいて接続された無線ＬＡＮのネットワーク識別子である。
【０１０２】
以上、図６を用いて説明した実施形態では、ユーザの充電行動に基づいて充電習慣情報を生成し、この充電習慣情報に基づいて通信接続の切り替えを制御する。その結果、習慣的に使用する無線ＬＡＮの通信エリア３に入った際、実際に充電状態を確認しなくとも相当の確度で、当該無線ＬＡＮとの通信接続を適切に開始することが可能となる。
【０１０３】
尚、以上に説明した充電記録テーブルには、少なくとも充電時刻情報（例えば、充電開始時刻）が記録される。ここで、少なくとも充電開始時刻が記録されていれば、充電習慣情報が形成可能となる。しかしながら、より好ましくは、この充電時刻情報に加えて、上述した充電位置情報、３Ｇ携帯電話網の基地局位置情報、又は無線ＬＡＮのＢＳＳＩＤ情報といった、充電位置の判断が可能となる情報が記録される。このような情報が充電時刻情報と対応付けられて記録されることによって、単に充電する時間帯からなる充電習慣情報ではなく、習慣的に充電を行う時間帯に、自宅等の（充電可能な）特定の場所（近辺）に留まっている、という充電習慣情報を生成することができる。これにより、より確実に、無線ＬＡＮの通信エリア内において第２の無線インタフェース１０１を起動させることが可能となる。
【０１０４】
図７は、図６に示したネットワーク接続制御方法を実施することができる携帯端末１’の一実施形態を示す機能構成図である。
【０１０５】
図７によれば、携帯端末１’は、図２に示した携帯端末１と比較して、充電情報記録部１２０と、充電習慣情報生成部１２１とを更に有している。以下、これら２つの機能構成部を中心に、携帯端末１’の説明を行う。
【０１０６】
充電情報記録部１２０は、充電状態判定部１１０から充電・非充電情報を入力し、電池１０４への充電についての（充電開始時刻を含む）充電時刻情報を逐次、充電記録テーブルに記録する。また、充電状態判定部１１０による真の判定に基づいて無線ＬＡＮとの間で開始された接続についての（接続開始時刻を含む）接続時刻情報を、上記の充電時刻情報と対応付けて更に充電記録テーブルに記録することも好ましい。さらに、充電情報記録部１２０は、測位部１０６から入力した充電時の所在位置である充電位置情報を、上記の充電時刻情報と対応付けて更に充電記録テーブルに記録することも好ましい。さらにまた、電池１０４の充電時に接続された第１の無線ネットワークの基地局における基地局位置情報又は基地局ＩＤを、上記の充電時刻情報と対応付けて更に充電記録テーブルに記録することも好ましい。
【０１０７】
充電習慣情報生成部１２１は、上記の充電時刻情報に基づいて、所定以上の頻度で、ある時間帯に、電池１０４への充電が開始されるとの充電習慣情報を生成する。また、上記の接続時刻情報に基づいて、所定以上の頻度で、ある時間帯に、無線ＬＡＮとの接続が開始されるとの接続習慣情報を生成することも好ましい。さらに、充電習慣情報生成部１２１は、上記の充電時刻情報及び充電位置情報に基づいて、所定以上の頻度で、ある時間帯に、ある位置範囲内で電池１０４への充電が開始されるとの充電習慣情報を生成することも好ましい。さらにまた、上記の充電時刻情報と基地局位置情報又は基地局ＩＤとに基づいて、所定以上の頻度で、ある時間帯に、所定の基地局との接続が確立した中で、電池１０４への充電が開始されるとの充電習慣情報を生成することも好ましい。尚、充電習慣情報生成部１２１は、生成した充電習慣情報を記憶するためのメモリを有していてもよい。
【０１０８】
インタフェース制御部１１５は、以上に述べた充電習慣情報が生成された場合、当該充電習慣情報を入力し、充電状態判定部１１０の判定結果にかかわらず、充電習慣情報に記録された時間帯に又は当該時間帯に先立って、第２の無線インタフェース１０１を起動させる。インタフェース制御部１１５は、また、充電位置範囲情報を含む充電習慣情報が生成された場合、当該充電習慣情報を入力し、充電状態判定部１１０の判定結果にかかわらず、充電習慣情報に記録された時間帯に又は当該時間帯に先立って、測位部１０６の出力する所在位置が当該充電位置範囲内である際に、第２の無線インタフェース１０１を起動させることも好ましい。インタフェース制御部１１５は、さらに、基地局位置情報又は基地局ＩＤを含む充電習慣情報が生成された場合、充電状態判定部１１０の判定結果にかかわらず、充電習慣情報に記録された時間帯に又は当該時間帯に先立って、接続された第１の無線ネットワークの基地局が充電習慣情報に記録された所定の基地局と特定された際に、第２の無線インタフェースを起動させることも好ましい。
【０１０９】
さらに、充電情報記録部１２０は、充電状態判定部１１０による判定に基づいて無線ＬＡＮとの間で開始された接続の際に取得されたＢＳＳＩＤを、上記の充電時刻情報と対応付けて更に充電記録テーブルに記録することも好ましい。この場合、圏内判定部１１３は、起動した第２の無線インタフェース１０１を用いて、携帯端末１’が、対応するＢＳＳＩＤによって特定される無線ＬＡＮのエリア内に居るか否かを判定する。また、接続制御部１１６は、圏内判定部１１３が真の判定を行った際、充電習慣情報に記録された時間帯に、この無線ＬＡＮとの接続を開始する。
【０１１０】
以上詳細に説明したように、本発明の携帯端末、ネットワーク接続制御プログラム及び方法によれば、携帯端末１（電池１０４）が充電中であるか否かを判定し、充電中であると判定された場合に、携帯端末１（ユーザ）が現在位置に長く留まる可能性が高いとして、第２の無線インタフェースを起動させる。その結果、不要な無線インタフェースの起動及び不要な通信接続を抑制しつつ、通信網との接続を適宜切り替えることが可能となる。
【０１１１】
さらに、本発明の技術を適用することによって、携帯電話網に転送すべきデータトラフィックを、これとは別の無線ネットワークへ迂回させるデータオフロードが、適切に実施可能となる。その結果、携帯電話網における輻輳の増大や通信品質の低下の抑制に貢献することができる。
【０１１２】
なお、以上に述べた実施形態は全て、本発明を例示的に示すものであって限定的に示すものではなく、本発明は、他の種々の変形態様及び変更態様で実施することができる。従って、本発明の範囲は、特許請求の範囲及びその均等範囲によってのみ規定されるものである。
【符号の説明】
【０１１３】
１、１’  携帯端末
１０  ディスプレイ
１００  第１の無線インタフェース
１０１  第２の無線インタフェース
１０２  充電用インタフェース
１０３  充電状態検出部
１０４  電池
１０５  加速度センサ
１０６  測位部
１１０  充電状態判定部
１１１  非移動判定部
１１２ａ  基地局判定部
１１２ｂ  所在位置判定部
１１３  圏内判定部
１１４  通信品質判定部
１１５  インタフェース制御部
１１６  接続制御部
１１７  通信部
１２０  充電情報記録部
１２０ｔａ、１２０ｔｂ、１２０ｔｃ  充電記録テーブル
１２１  充電習慣情報生成部
２  ３Ｇ携帯電話網の通信エリア（第１の無線ネットワークの通信エリア）
３  無線ＬＡＮの通信エリア（第２の無線ネットワークの通信エリア）
４  ＧＰＳ衛星
【図１】
2014017572.tif 000003
【図２】
2014017572.tif 000004
【図３】
2014017572.tif 000005
【図４】
2014017572.tif 000006
【図５】
2014017572.tif 000007
【図６】
2014017572.tif 000008
【図７】
2014017572.tif 000009